(57)【要約】【課題】取扱いが簡単であると共に、デザインの幅が広がる装身具用留め具およびそれを用いた装身具を提供する。【解決手段】この装身具用留め具１は、表面２ａに装飾を有する装飾部材本体２と、当該装飾部材本体２の裏面２ｂに設けられた第１の係合部材３と、第１の係合部材３と係合する第２の係合部材４とを有する。そして、第２の係合部材４は、装飾部材本体２と協働して装飾形態を形成するため、表側に露出する装飾部１１を有する。【選択図】図１
0003132896.tif 000002
【実用新案登録請求の範囲】
【請求項１】
表面に装飾を有する装飾部材本体と、
当該装飾部材本体の裏面に設けられた第１の係合部材と、
上記第１の係合部材と係合する第２の係合部材と、
を有する装身具用留め具において、
上記第２の係合部材は、上記装飾部材本体と協働して装飾形態を形成するため、表面側に露出する装飾部を有することを特徴とする装身具用留め具。
【請求項２】
前記第２の係合部材は、前記第１の係合部材に設けられた支点を中心として回動可能とされていることを特徴とする請求項１に記載の装身具用留め具。
【請求項３】
前記第１の係合部材と前記第２の係合部材は、一方が磁石を有し、他方が磁石または磁石に吸引される金属部材とされていることを特徴とする請求項２に記載の装身具用留め具。
【請求項４】
前記両磁石または前記磁石と前記金属部材は、円柱形とされ、円柱形の凹部を有する前記第１の係合部材および前記第２の係合部材の当該凹部に入れられると共に、上記第１の係合部材および前記第２の係合部材の各上記凹部を囲む側壁がかしめられていることを特徴とする請求項３に記載の装身具用留め具。
【請求項５】
前記磁石は耐候性を有する材質よりなるカバーと共に、凹部を有する前記第１の係合部材および／または前記第２の係合部材の当該凹部に入れられ、かつ少なくともその１つの凹部の底には磁性を有する板が入れられていることを特徴とする請求項３に記載の装身具用留め具。
【請求項６】
前記装飾部の裏面に係止用のリング部を設けていることを特徴とする請求項１から５のいずれか１項に記載の装身具用留め具。
【請求項７】
請求項１から６のいずれか１項に記載の装身具用留め具と、装身具本体と、を有することを特徴とする装身具。
【考案の詳細な説明】
【技術分野】
【０００１】
本考案は、装身具用留め具およびそれを用いた装身具に関し、特に、ネックレス、ブレスレット等の長めの装身具の長さまたは束ね位置を自由に調節可能とする装身具用留め具およびそれを用いた装身具に関する。
【背景技術】
【０００２】
ネックレス、ブレスレット等の長めの装身具は、その開放端となる装身具本体両端部に連結リングを介して、装身具用留め具である引き輪と孔あきプレートとが取付けられ、所定サイズの環状体として身体に装着するものが一般的である。しかし、かかる装身具用留め具は極めて小さなネジを有するため、着脱作業に手間のかかる場合が多い。また、これらの装身具用留め具では、装身具の環状体の大きさを変更できないか、あるいは変更できてもわずかな範囲しか変更できない。このため、装身具のサイズ面で、日々着用する服装の変化に対応させることができないという問題が生じている。
【０００３】
このような問題を解消するために、様々な考案が開示されており、その一例として、装飾チエーンの留め具が知られている（特許文献１参照）。この留め具は、輪の大きさを自在に変えることができる構造の首に掛けて垂らした装飾チエーンの下端から所望上方位置をリング状に係止するようにするものである。
【０００４】
さらに、多数の玉を連ねて形成されるネックレスの一端に、開閉可能となしたフックを設け、そのフックを、他端側の任意の位置の玉間のくびれ部に掛けてネックレスの一端を他端側に着脱自在に接続するようにした構造も知られている（例えば、特許文献２参照）。
【０００５】
【特許文献１】特開平１０−２９５４２１号公報（特許請求の範囲）
【特許文献２】特開２０００−２７０９１３号公報（特許請求の範囲）
【考案の開示】
【考案が解決しようとする課題】
【０００６】
特許文献１記載の留め具では、チエーンの所望位置に容易に係止することができる。また特許文献２記載のネックレスは、そのサイズ面の対応性をある程度向上させることが可能となっている。
【０００７】
しかしながら、特許文献１に開示される発明では、挿入される装飾チエーンの直径より僅かに小さな孔が穿設された弾力性を有する材料で形成された筒体が装飾具の中に有する構造となっている。このため、使用する際や組み立てる際に、装飾チエーンを装飾具の筒体の中に強引に挿入したり、抜いたりしている。このため、操作が面倒であると共に、長期間の使用によって、装飾チエーンが破断する恐れがある。例えば、真珠のネックレスのように高価なもので形成されているものでは、真珠が傷つくという問題があり、特許文献１に開示される発明に適用できない。また、チエーンを係止する部材は、装飾具の裏面内に入れられ、表側から見えないようにしている。このため、装身具のデザインに制約がされると共に、筒体の大きさも制限される。
【０００８】
また、特許文献２に開示される発明では、装飾性を有するフックの係止力は弱いものであり、輪の大きさが経時的に変化してしまう。また、強い係止力を有するフックとした場合、装飾性が劣るものとなっている。
【０００９】
本考案は、上記のような問題を解決するためになされたものであって、その目的とするところは、取扱いが簡単であると共に、デザインの幅が広がる装身具用留め具およびそれを用いた装身具を提供することにある。
【課題を解決するための手段】
【００１０】
上記目的を達成するため、本考案は、表面に装飾を有する装飾部材本体と、当該装飾部材本体の裏面に設けられた第１の係合部材と、上記第１の係合部材と係合する第２の係合部材と、を有する装身具用留め具において、当該第２の係合部材は、装飾部材本体と協働して装飾形態を形成するため、表側に露出する装飾部を有するものとしている。
【００１１】
このような装身具用留め具の構造とすると、表側に出ている装飾部を利用して２つの係合部材を係合させるという簡単な操作で、装身具本体の所望位置を束ねて２重にしたり、長さを調節したりするのを簡単に行うことができる。また、通常は、表側に出てこない第２の係合部材の一部が表面に現われ、装飾部材本体とで装飾形態を構成する装飾部を有しているため、デザインのバリエーションが広い装身具用留め具となる。
【００１２】
また、第２の係合部材が第１の係合部材に設けられた支点を中心として回動可能とするのが好ましい。
【００１３】
装飾部材本体側に支点を設けることによって、装飾部材本体と装飾部は、支点を中心として自由に回働させることができる。この結果、装身具本体を挟み込み易くなり、またその操作も容易となる。
【００１４】
また、第１の係合部材と前記第２の係合部材は、一方が磁石を有し、他方が磁石または磁石に吸引される金属部材とするのが好ましい。
【００１５】
この構成とすると、磁石の磁力を利用して第１の係合部材と第２の係合部材とを確実に係合させることができる。また、着用する際に、簡単な操作で装身具用留め具を装身具本体等に着脱することができる。また、１対の磁石ではなく、１個の磁石のみを使用する場合には、磁極を確認する作業が不要となり、作業効率が向上する。
【００１６】
また、両磁石または磁石と金属部材は、円柱形とされ、円柱形の凹部を有する第１の係合部材および第２の係合部材の当該凹部に入れられると共に、第１の係合部材および第２の係合部材の各凹部を囲む側壁がかしめられているものとするのが好ましい。
【００１７】
この構成を採用すると、かしめという簡単な作業によって、両磁石または磁石と金属部材を第１の係合部材および第２の係合部材に配置することができる。また、両磁石または磁石と金属部材を各凹部に挿入しやすくなる。
【００１８】
また、別の本考案は、上述の考案に加えて、磁石は耐候性を有する材質よりなるカバーと共に、凹部を有する第１の係合部材および／または第２の係合部材の当該凹部に入れられ、かつ少なくともその１つの凹部の底には磁性を有する板が入れられている。ここで、耐候性を有する材質とは、変形、変色、劣化、錆等の変質を起こしにくい性質を持つ材質のことで、耐候性鋼や耐候性樹脂などが該当する。耐候性を有する金属材の中には、ステンレスやアルミなどが含まれる。
【００１９】
ステンレスのカバーが存在することによって、磁石が保護され、割れあるいは錆びが生じにくくなる。また、凹部の底には純鉄板を配置しているので、磁石からの磁束を集中することができ、使用者が着用している電子機器類への磁束漏洩による悪影響を低減できる。
【００２０】
また、装飾部の裏面に係止用のリング部を設けるのが好ましい。
【００２１】
この構成を採用すると、装身具用留め具は、係止用のリング部を介して装身具本体の一端を結合でき、当該装身具用留め具を、装身具本体の他端側の任意位置に着脱自在に接続することができる。その結果、装身具としての使用価値が高まる。また、なくしがちな第２の係合部材を装身具本体につなぐことで、第２の係合部材が紛失してしまうのを防止できる。また、第２の係合部材が支点を中心として回動するものである場合、その支点側が装身具本体の端部になることで係止状態の維持の面で有利となる。
【００２２】
また、本考案の装身具は、請求項１から６のいずれか１項に記載の装身具用留め具と、装身具本体とを有するものとしている。
【００２３】
このような構成とすると、取扱いが容易であると共に、デザインの幅が広がる装身具とすることができる。このため、従来に比べ付加価値の高い製品となる。
【考案の効果】
【００２４】
本考案によれば、取扱いが簡単であると共に、デザインの幅が広がる装身具用留め具およびそれを用いた装身具を提供することができる。
【考案を実施するための最良の形態】
【００２５】
以下に、本考案に係る装身具用留め具およびそれを用いた装身具の好適な実施の形態について、図面を参照しながら詳しく説明する。
【００２６】
（第1の実施の形態）
本考案の第1の実施の形態に係る装身具用留め具１を、図１から図５に基づいて説明する。ここで、図１は、装身具用留め具１の側面断面であり、図２は、装身具用留め具を半分ほど開いた状態の側断面図である。図３は、図１に示す装身具用留め具１を図１の上方から見た正面図であり、図４は、図１に示す装身具用留め具１を図１の下方から見た底面図である。また、図５は後述するかしめ状態を説明するための図である。
【００２７】
図１に示すように、装身具用留め具１は、表面２ａに装飾が施された装飾部材本体２と、その裏面２ｂに設けられた第１の係合部材３と、当該第１の係合部材３と係合する第２の係合部材４と、から主に構成されている。第２の係合部材４は、装飾部材本体２の表面２ａに形成された装飾と共に装飾形態を形成する装飾部１１を備えており、第１の係合部材３に設けられた支点１２を中心として回動することができる（図２参照）。
【００２８】
装身具用留め具１は、第１の係合部材３と第２の係合部材４とを支点１２を中心として相対回動させることによって、ネックレス等の装身具本体の所望位置を束ねて２重にしたり、長さを調節したりする作業を簡単に行うことができる。第１の係合部材３と第２の係合部材４の開きは図２に示すような９０度程の開き以上に開くことができる。この実施の形態では、両者の開き角度は、約１８０度まで可能とされている。
【００２９】
装飾部材本体２は、表面２ａの側が膨らみ、裏面２ｂの側に凹部２ｃが形成される形状となっている。この凹部２ｃは、まわりを囲む側面壁２ｄによって空胴状にされている。そして、装飾部材本体２は、図３に示すように、この実施の形態では、表面２ａ側から見た場合、イルカの形態とされている。装飾部１１は、表面２ａから見た場合、球のように見え、装飾部材本体２と装飾部１１とで、イルカが球遊びをしているような装飾形態をかもし出している
【００３０】
装飾部材本体２を形成する方法については、公知の方法、例えば、鋳造、プレス成型方法等を用いることができる。また、装飾形態を形成する装飾部材本体２と装飾部１１の材料としては、銀が用いられている。ただし、銀以外の貴金属または合金を用いても良い。また、使用用途に応じて装飾部材本体２と装飾部１１の材料を適宜変更できる。
【００３１】
第１の係合部材３は、装飾部材本体２の裏面２ｂに設けられており、円柱形の凹部１３を有する第１の保持部１４と、円柱形の磁石１５と、支点１２を端部に有する円弧部１６と、から主に構成されている。第１の保持部１４と円弧部１６は、装飾部材本体２の裏面２ｂにロウ付け固定部１７を形成する方法等の方法によって固定されている。この実施の形態では、図４に示すように、ロウ付け固定部１７は装飾部材本体２の側面壁２ｄと第１の保持部１４との間の部分で２箇所、装飾部材本体２の凹部２ｃの底面と円弧部１６との間で１箇所の計３箇所に形成されている。
【００３２】
第１の保持部１４と円弧部１６の材料は、装飾部材本体２と異なる材質でかつ安価なものとするのが好ましい。ただし、これらに限定せず、同じ材質にしても良い。円柱形とされる磁石１５には、耐候性を有する材質であるステンレスからなるコップ状のカバー１８が被せられており、円柱形の凹部１３に嵌め込んでいる。磁石１５とステンレスのカバー１８とは磁力により結合されているが、両者の固定に当たってさらには、軽圧入または接着材を利用しても良い。本実施の形態における磁石１５としては、ボンド系の磁石を用いるのが好ましい。ボンド系の磁石の中で、特にサマリウム・コバルト系が、大きさ、磁力の強さを考慮するとより好ましい。なお、凹部１３および磁石１５の形状は、本実施の形態の場合には、円柱形としたが、この他、例えば、隋円形、四角形あるいは三角形等、任意の形状に形成しても良い。
【００３３】
なお、従来は、使用される磁石にメッキ処理または塗装処理が施されているが、嵌め込み時に欠け、削れ等が発生し、その部分より錆びが発生する欠点が多数見られる。しかし、本実施の形態では、ステンレスのカバー１８の中に力を加えることなく磁石１５を入れ、両者を磁石結合によって一体化させた後、凹部１３に嵌め込まれている。このため、凹部１３への嵌め込み時に、磁石１５には圧力や応力がほとんど加わらない。すなわち、嵌め込み時やその後も、ステンレスのカバー１８により磁石１５を保護することとなるため、磁石１５に特別の処理が必須ではなくなり、割れあるいは錆びも生じなくなる。
【００３４】
また、本考案の第１の実施の形態においては、漏洩磁束による電子機器類への悪影響を考慮するため、第１の保持部１４の凹部１３の底には座金状の磁性を有する純鉄板１９を配置させているが、必ずしも純鉄板１９を配置する必要はない。座金状の純鉄板１９を配置せず、ステンレスのカバー１８を被せられた磁石１５を、直接、第１の保持部１４の凹部１３の底に配置しても良い。純鉄板１９を配置することによって、磁石１５からの磁束を集中することができ、この装身具用留め具１の使用者が着用した電子機器類への磁束の漏洩による悪影響を低減できる。
【００３５】
また、本考案の実施の形態においては、磁石１５を入れた第１の保持部１４の凹部１３を囲む側壁２０の一部がかしめられ、かしめ部２１が形成されている。これによって、磁石１５とステンレスのカバー１８の一体物が凹部１３から脱落することを防止できる。
【００３６】
かしめ部２１は、図５に示すように、第１の保持部１４の側壁２０の相対向する２箇所に形成されている。各かしめ部２１は、側壁２０を底面に向かって切り欠いた２つの切り欠き部２２と、その２つの切り欠き部２２の間に切り欠かれずに残った残突出部２３とから形成されている。残突出部２３は、かしめられることで、その先端側が第１の保持部１４の中心Ｂに向かって傾斜している。この結果、残突出部２３は、その先端側がステンレスのカバー１８に寄り添うと共に、ステンレスのカバー１８の露出面に覆い被さる状態となり、ステンレスのカバー１８と磁石１５の一体物を凹部１３から脱落しないようにしている。
【００３７】
第２の係合部材４は、第１の保持部１４に設けた円柱形の凹部１３と対応する同じ形状の凹部３１を有する第２の保持部３２と、円柱形の磁石３３と、支点１２に係合する端部を有する円弧部３４と、装飾部材本体２の表面２ａの装飾と一体になった装飾形態を形成する装飾部１１と、から主に構成されている。この実施の形態では、磁石３３は先に示した磁石１５と同一形状で、同一材質とされているが、磁石１５と異なる材質、異なる形状のいずれか一方または両者を採用しても良い。
【００３８】
また、磁石３３は、先のステンレスのカバー１８と同様な形状のステンレスのカバー３５によって覆われ保護されている。凹部３１の底側には、先に示した純鉄板１９と同じ円板状の純鉄板３６が配置されているが、省略しても良い。装飾部１１は、円形状の皿形状とされ、表側から見た場合、球のように見える装飾が施されている。装飾部１１の裏面には、装身具本体とつながるために、リング形状のリング部３７を設けても良い。
【００３９】
第１の係合部材３と第２の係合部材４とは、支点１２にて結合されている。支点１２は、図４に示すように、第１の係合部材３の円弧部１６の支点１２の部分が２つの枝部４１，４１に分かれた２股状となり、第２の係合部材４の支点１２の側の端部４２がその２つの枝部４１，４１に入り込む構成となっている。そして、２つの枝部４１，４１と端部４２には、対応する位置に各々貫通孔が形成され、１本の連結ピン４３が挿入されている。
【００４０】
第１の係合部材３と第２の係合部材４とは、連結ピン４３により一体化されている。また、第１の係合部材３と第２の係合部材４とは、連結ピン４３等からなる支点１２を中心として相対回動することができる。第１の係合部材３と第２の係合部材４とを図１に示すように係合させることによって、その第１の係合部材３と第２の係合部材４との間には、両者によって囲まれることとなる所定の大きさのリング状の空間部５０が形成される。その結果、装身具用留め具１は、第１の係合部材３と第２の係合部材４とを係合することによって、ネックレス等の装身具本体の所望位置を束ねて２重にしたり、長さを調節したりすることを簡単に行うことができる。
【００４１】
なお、この空間部５０は、この装身具用留め具１を、真珠のネックレスを束ねる用途として用いる場合、真珠が通過できないような大きさとしている。このため、並んだ真珠の所定位置間にこの装身具用留め具１を固定することができる。また、真珠の大きさに合せて適宜な大きさの空間部５０を持つ装身具用留め具１とすることができる。なお、この装身具用留め具１は、真珠以外のネックレスにも使用できるものとするため、その空間部５０の大きさを、これらの点を考慮して最適な大きさに設定するようにしても良い。
【００４２】
（第２の実施の形態）
次に、本考案の第２の実施の形態に係る装身具用留め具６１について、図６から図８を参照しながら説明する。なお、この装身具用留め具６１は、基本的構成において、第１の実施の形態の装身具用留め具１と同一であり、第１の実施の形態に示す部材と同一または同種の部材には同一符号を付し、その説明を省略または簡略化する。
【００４３】
図６は、本考案の第２の実施の形態に係る装身具用留め具６１の側面断面図である。図７は、図６に示す装身具用留め具６１を図６の上方から見た正面図であり、図８は、図６の下方から見た底面図である。
【００４４】
この装身具用留め具６１が、第１の実施の形態の装身具用留め具１と異なる主な点は、次の４点である。すなわち、第１は、本考案の第２の実施の形態においては、図６および図８に示すように、第２の係合部材４の装飾部１１の裏面に係止用のリング部６２が設けられている点である。このリング部６２は先に示したリング部３７と同様な働きをする。なお、リング部３７，６２を装飾部材本体２の裏面２ｂに設けるようにしても良い。
【００４５】
このような構成とすると、この装身具用留め具６１は、係止用のリング部６２を介して装身具本体の一端を結合でき、当該装身具用留め具６１を、装身具本体の他端側の任意位置に着脱自在に接続することができる。このため、装身具本体の一部が装身具用留め具６１の外側に垂れ下がり、斬新な感じが生じ、装身具としての使用価値が高まる。なお、第１の実施の形態の装身具用留め具１にリング部３７を設けると、同様な作用が生じる。
【００４６】
第２の相違点は、装飾部材本体２が平板状となっていると共に、装飾部１１も平板状となっている点である。この構成の場合、立体感が劣ることとなるが、装飾部材本体２の表面２ａにデザイン性の高い図柄を容易に形成できると共に、形状が簡単なため生産性が向上する。また、絵柄を変えるのみで、他のデザインとすることができ、仕様変更が容易となる。
【００４７】
第３の相違点は、第２の係合部材４には磁石や純鉄板が配置されず、ステンレスのカバー３５のみが配置されている点である。この構成とすると、軽量化、低価格化の面で有利となる。第４の相違点は、表面側の装飾形態が装飾部１１と装飾部材本体２とが組み合わされて、初めて１つの状態となる図柄とされている点である。
【００４８】
（装身具の第１の実施の形態）
次に、本考案の第２の実施の形態に係る装身具用留め具６１を用いた第１の実施の形態に係る装身具７０について説明する。
【００４９】
図９は、本考案の第１の実施の形態に係る装身具７０を示す図である。なお、この装身具７０の場合、装身具用留め具６１はリング部６２を有さないものとするのが好ましいが、有するものとしても良い。この点は装身具用留め具１についても同様である。
【００５０】
図９に示すように、本考案の第１の実施の形態に係る装身具７０は、上述した第２の実施の形態のような装身具用留め具６１と、多数真珠を有する装身具本体７１とを備えている。装身具用留め具６１の第１の係合部材３と第２の係合部材４とを係合させることにより空間部５０を形成する。図６に示すように、真珠をつなぐ糸７２がこの空間部５０に入り、横切ることで装身具本体７１が図９に示すように途中で束ねられる。このように、装身具用留め具６１が所定の大きさの空間部５０を有することによって、装身具本体７１の所望位置を束ねて２重にしたり、長さを調節したりするのを簡単に行うことができる。
【００５１】
次に、装身具用留め具６１を用いた装身具７０（例えば、装身具本体７１として真珠ネックレス）を束ねる場合の具体的な動作、作用について説明する。なお、第１の実施の形態に係る装身具用留め具１についても同様の動作、作用となる。
【００５２】
まず、装身具用留め具６１の第１の係合部材３と第２の係合部材４との係合を外した状態とする（図２参照）。この係合が外れた状態は、第１の係合部材３と第２の係合部材４とが水平状態、すなわち開き角度が１８０度となる状態とするのが好ましい。そして、その１８０度に開かれた装身具用留め具６１を床や机の上に置く。その後、装身具７０によって形成される輪の大きさを変えたい位置の真珠の隣接間隔を広げ、その部分の糸７２を円弧部１６または円弧部３４の上に乗せる。次に、第１の係合部材３と第２の係合部材４とが開いた状態から閉じている状態、すなわち係合状態とする（図１、図６参照）。この結果、２本の糸７２，７２が空間部５０内に位置し、空間部５０を横切ることとなる。
【００５３】
この結果、真珠ネックレスとなる装身具７０は、くびれ部７３が形成されると共に、２つの輪７４，７５が形成されることとなる。なお、一方の輪７４は、人が首にかけ、装身具７０の両端にある係止部となるフック部７６とリング状端部７７とを係止することにより完成することとなる。他方の輪７５は、人の首の下方である胸部にくることによって、装身具用留め具６１の表面側に形成される装飾形態とあいまって装飾性を向上させる。
【００５４】
図９に示すように、これにより、真珠ネックレスとなる装身具７０は、所定の位置で束ねられることとなり、装身具用留め具６１自体は、装身具７０に付けられた状態となる。装身具用留め具１を使用する場合も同様となる。この状態では、真珠は、第１の係合部材３と第２の係合部材４との間に形成される空間部５０を通過することができず、確実な束ね状態を保持することができる。
【００５５】
なお、上述したような装身具用留め具１、６１を用いて束ねを行う際、装身具７０の任意の位置を容易に束ねることができる。また、束ねる対象も、この図９に示すような真珠ネックレスに限られるものではない。
【００５６】
（装身具の第２の実施の形態）
次に、本考案の第２の実施の形態に係る装身具用留め具６１を用いた第２の実施の形態に係る装身具８０について説明する。
【００５７】
図１０は、本考案の第２の実施の形態に係る装身具８０を示す図である。この装身具８０の場合、装身具用留め具６１はリング部６２を有するものとする。この点は装身具用留め具１の場合も同様でリング部３７を有するものとする。
【００５８】
図１０に示すように、装身具８０は、装身具用留め具６１と、装身具本体８１とを備えている。装身具用留め具６１の第２の係合部材４の装飾部１１の裏面に設けた係止用のリング部６２を介して装身具本体８１の一端を結合している。また、装身具用留め具６１の第１の係合部材３と第２の係合部材４とを係合させることにより形成される所定の大きさの空間部５０を有することによって、装身具用留め具６１は、装身具本体８１の他端側の任意位置に着脱自在に接続することができる。このため、装身具本体８１の一部が装身具用留め具６１の外側に垂れ下がり、斬新な感じが生じ、装身具８０としての使用価値が高まる。
【００５９】
図１０に示す装身具８０を束ねる場合の動作、作用については、空間部５０を通過する糸が２本でなくて、１本であること以外は第１の実施の形態係る装身具７０と共通する。このため、重複した説明を省略する。
【００６０】
以上、装身具用留め具１，６１およびそれを用いた装身具７０，８０の各実施の形態について説明したが、本考案は、上述の構成に限定されず、本考案の目的を逸脱しない範囲で種々の変形実施が可能である。例えば、第１および第２の実施の形態の装身具留め具１，６１では、第１の係合部材３と第２の係合部材４とを装飾部１１を除く以外の部分について同一形状または略同一形状とすることで、製造を容易とし製造コストを低減させていたが、第１の係合部材３と第２の係合部材４の形状を全く異なる形状に形成しても良い。
【００６１】
装身具用留め具１のように磁石１５，３３を設けるのが係止力の強さの面で好ましいが、装身具用留め具６１のように一方の磁石を省略しても良い。すなわち、一方の凹部に磁石を配置し、他方の凹部に磁石に吸引される金属部材を配置しても良い。その場合、底ありの円筒状ではなく、円柱形の金属部材としても良い。一方側のみに磁石を使用する場合には、磁極を確認する作業が不要となり、作業効率が向上する。
【００６２】
また、第２の係合部材４に設けた装飾部１１は、装飾部材本体２と協働して調和の図柄となるように見栄えを高めることが可能となる構成である。装飾部材本体２および装飾部１１の形態は、特に限定されることなく、例えば、装飾部材２本体は花の形態に形成され、装飾部１１は葉の形態に形成されても良い。このように、装飾形態は、様々な形状とすることができ、特に、調和の図柄を形成できる形状がより好ましい。
【００６３】
また、各実施の形態では、磁石１５，３３にはステンレスのカバー１８，３５が被せられていたが、アルミニウム等の他の金属カバーあるいは樹脂等からなるカバーを被せるようにしても良い。その場合、耐候性を有する材質のものとするのが好ましい。また、錆びない磁石材を使用し、カバーの代わりに塗装膜またはメッキ膜を施しても良い。また時には、カバーを省略しても良い。また、純鉄板１９，３６の代わりに、磁性を有する他の材料、たとえばニッケル板を採用しても良い。
【００６４】
また、装身具用留め具は、図１１に示す形状としても良い。この装身具用留め具９１は、正面から見て円形状の装飾部材本体２と、装飾部材本体２の裏面側に配置される第１の係合部材３となる留め部材９２と、この留め部材９２に係合する第２の係合部材４となるキャッチャ９３とで構成されている。このキャッチャ９３は、装飾部材本体２と協働して装飾形態を形成する装飾部１１を有する。
【００６５】
この装身具用留め具９１は、図１１に示すように、留め部材９２が、キャッチャ９３と協働することで、ネックレス等の装身具本体を束ねることを可能としている。すなわち、留め部材９２の直線状のピン部９４が円柱状のキャッチャ９３の本体部分の穴部９５に差し込まれると、留め部材９２のＣ字状の弾性を有する挟み込み部９６がキャッチャ９３と協働して、先ほどの糸７２を挟み込むこととなる。このように、留め部材９２と、キャッチャ９３とを係合させることによって、ネックレス等の装身具本体７１，８１を束ねると共に、第２の係合部材４となるキャッチャ９３に設けた装飾部１１は、装飾部材本体２と調和の図柄となるようになり、見栄えが高まることとなる。
【００６６】
また、束ねる対象も、ネックレスに限られるものではなく、例えば、スカーフまたはネクタイ等の布製品等の柔らかい部材を束ねる場合にも装身具用留め具１，６１，９１を使用することができる。さらに、装身具用留め具１，６１，９１自体をブローチまたはペンダント等の装身具として使用することもできる。
【図面の簡単な説明】
【００６７】
【図１】本考案の第1の実施の形態に係る装身具用留め具の側面断面図である。
【図２】図１に示す装身具用留め具の開いた状態を示す側面断面図である。
【図３】図１に示す装身具用留め具を図１の上方から見た正面図である。
【図４】図１に示す装身具用留め具を図１の下方から見た底面図である。
【図５】図１に示す装身具用留め具に使用される磁石とカバーをかしめによって固定した状態を示す図で、（Ａ）は、かしめ部分を側面から見た図で、（Ｂ）は、かしめ部分を下から見た図である。
【図６】本考案の第２の実施の形態に係る装身具用留め具の側面面断面図である。
【図７】図６に示す装身具用留め具を図６の上方から見た正面図である
【図８】図６に示す装身具用留め具を図６の下方から見た底面図である
【図９】本考案の第１の実施の形態に係る装身具を示す図である。
【図１０】本考案の第２の実施の形態に係る装身具を示す図である。
【図１１】本考案に係る装身具用留め具の変形例を示す図で、側面から見た図である。
【符号の説明】
【００６８】
１，６１，９１    装身具用留め具
２    装飾部材本体
２ａ    表面
２ｂ    裏面
２ｃ    凹部
３    第１の係合部材
４    第２の係合部材
１１    装飾部
１２    支点
１３，３１    凹部
１５，３３    磁石
１８，３５    ステンレスのカバー
１９，３６    純鉄板
２０    側壁
２１    かしめ部
３７，６２    リング部
７０，８０    装身具
７１，８１    装身具本体
７２    糸
７３    くびれ部
【図１】
0003132896.tif 000003
【図２】
0003132896.tif 000004
【図３】
0003132896.tif 000005
【図４】
0003132896.tif 000006
【図５】
0003132896.tif 000007
【図６】
0003132896.tif 000008
【図７】
0003132896.tif 000009
【図８】
0003132896.tif 000010
【図９】
0003132896.tif 000011
【図１０】
0003132896.tif 000012
【図１１】
0003132896.tif 000013